(57)【特許請求の範囲】
【請求項１】
光源と、
画像を検出する画像センサと、
前記画像センサの出力から、検知結果を算出する演算部と、
前記演算部の演算結果から、前記光源の点滅・調光を決定する判断部と、
前記判断部の判断結果に基づき、前記光源に対して、予め設定されたシーンに応じた点灯制御を行なう制御部とを有する照明システムであって、
前記制御部は、無人状態において、予め設定されたシーンに応じた光源の点灯制御を実施し、ここで得られた各シーンの画像センサの検知結果を無人状態データとして記憶しておき、
前記判断部は、現在の画像センサの検知結果から、現在のシーンに対応する無人状態データを、キャンセルして演算を行い、
前記制御部は、選択スイッチを具備し、
前記選択スイッチによって、一定時間ごとに記憶モードを実行する場合と、夜間に無人と判断しかつ前日の初期画像すなわち無人状態データと異なる画像が得られたときに前記記憶モードに移行する場合とを、切り替え可能とした照明システム。
【請求項２】
請求項１に記載の照明システムであって、
前記判断部が、前記画像センサが受け持つ全ての領域において人が存在しないと判断し、かつ、前回の記憶モードから一定時間以上経過している場合に、前記制御部は予め設定されたシーンに応じて光源の点灯制御を一通り実施するとともに、ここで得られた各シーンの画像センサの検知結果を無人状態データとして記憶する記憶モードを実行するものであり、
前記判断部は、前記記憶モード以外では、現在の画像センサの検知結果から、現在のシーンに対応する無人状態データを、キャンセルして演算を行う照明システム。
【請求項３】
請求項１又は２に記載の照明システムであって、
前記制御部は、初期設定スイッチを具備し、
前記初期設定スイッチを押下することによって前記記憶モードに移行するようにした照明システム。
【請求項４】
請求項１乃至３のいずれか一項に記載の照明システムであって、
前記光源は複数の光源で構成され、各光源を独立して点灯制御可能である照明システム。
【発明の詳細な説明】
【技術分野】
【０００１】
本発明は、照明システムに係り、特に照明空間に存在する人の状態を検知し、この検知結果に基づいて室内の照明器具を調光制御する照明システムにおいて、誤動作の原因となる、人以外の移動物体を除外する技術に関する。
【背景技術】
【０００２】
居室の天井などに設置された画像センサによって、室内の人の在／不在、滞在位置などを判別し、室内の各照明器具を適切に点滅・調光を行う照明制御装置が提案されている。
画像センサによる人の検知は一般的に、図５に示すように、一定時間間隔をおいて撮像した２つ以上の画像を比較して変化のある部分、すなわち、移動しているとみなせる一定の画素の塊を特定することによって行われる。人が移動した後に静止した場合には上記手順では、人が存在するにもかかわらず検知できないことになるので、以前に動いていた画素塊Ｍは静止しても人であると判断するというような判断回路を導入することによってこれを回避している。
【０００３】
上述の画像における変化の判定は図６に示すように点線で区切られたグリット毎の輝度情報の変化の検出により行なうことができる。つまり人が移動することにより、画面上の床や壁の輝度情報が人の頭部や衣服の輝度情報に変化することで人の存在を判定できる。
【０００４】
しかしながら、画像センサからの画像にはユーザの移動以外による輝度変化も生じる場合がある。例えば外光が窓Ｗから入射して、床や壁に反射し、高輝度領域を形成する場合がある。この例の場合、雲の動きにより急激にこのような像が出現すればユーザと誤認識される場合がある。
【０００５】
また、画像センサの視野内（画像内）で移動するものは人以外にも、例えば、窓からの風で揺れるカーテンやブラインドがあり、これらを人であると判断して誤動作するケースがあるため、人が不在であるにもかかわらず、照明器具が点灯する誤動作が発生することがあり、人に不快感を与えることもあった。また、不要な点灯は、無駄な電力を消費することにつながり、できる限り回避する必要がある。
【０００６】
室内の電磁放射、好ましくは可視光及び赤外光を測定できるセンサと、測定した電磁放射に応じて室内の照明を制御する制御部とを有する照明制御装置が提案されている(特許文献１)。ここでセンサとしては、部屋の電気画像を形成し得るＣＣＤ（電荷結合素子）センサなどのビデオセンサが用いられている。
【０００７】
また、上記特許文献においては、制御手段が、下記特性値に応じて照明を制御し得る、または、下記手段を有していることが記載されている。
・画像の予め定めた部分における可視光の放射値
・画像の色温度値
・画像の放射値間のコントラスト
・動き検出手段を有している
・物体認識手段を有している
・遠隔制御装置により放出される信号に反応しうる
上記装置では、カメラの画像中で見える窓の位置を、あらかじめ特定し、その位置付近で光が観測された場合に、通常の処理系統から排除し照明器具の誤動作を防止するようになっている。また、光度のスレッシュレベル（基準値）を設定し、スレッシュレベルを超えるか超えないかで照明器具の制御を変える方法がとられ、例えば光度がスレッシュレベルを超えると処理系統から排除し照明器具の誤動作を防止するように構成されている。
【０００８】
しかしながら、上記装置では、窓の位置とその付近に出現する光は特定できても、出現した光を特定のスレッシュレベルに対し上／下の設定でしか判別できないため、例えば、外光が窓Ｗから入射して、床や壁に反射し、高輝度領域を形成する場合や、カーテン／ブラインドが揺れてスレッシュレベル以下でカメラの画像中に出現した場合に、人であると判別して照明器具を誤点灯させてしまうという問題は否めなかった。具体的にいえば、本来は、人（輝度塊Ｍ）が室内に存在する場合にのみ、照明器具Ｌを点灯すべきであるが、壁際に置かれたテレビのスイッチをオンにすることで、輝度変化が生じて、光源Ｌの誤動作を生じてしまう結果となることもあった。また、ダウンライトなどの照明器具の点灯により床面に生じた映りこみによる輝度変化あるいは、風によりカーテンが揺れ、輝度が変化することもあった。
【０００９】
また、画像検出手段で捉えた画像情報から物体の形などを演算し、被監視対象を検出したか否かを判断し、被監視対象を検出しない場合には、検出領域において人体が存在しないと判断する技術も提案されている（特許文献２）。
【００１０】
【特許文献１】特表2004-501496号公報
【特許文献２】特開2000-138925号公報
【００１１】
しかしながら、上記システムでは、画像の変化に応じて照明器具を点滅・調光を行うため、例えば以下のような場合には人の移動がなくても画像に変化が検知され、誤動作の原因となっていた。
１）照明器具が点滅する時点で発生、消滅する什器や家具の影
２）照明器具が点滅する時点で発生、消滅する床の光沢による照明器具の映りこみ
３）複数の照明器具が点灯しその中の照明器具が調光するときに、物体は動いていないのに複数灯の照度バランスによって、成長したり、縮小したりする影の動き
そこで、部屋の形状や照明器具の位置、器や家具の位置情報を判断回路に与えることができれば、影の位置や映りこみを予測して回避できるが、そのためには使用される部屋に応じて３次元的データ入力が必要であり実用的であるとは言い難い。また、什器の移動や模様替え時にも対応が困難である。
【００１２】
前記の課題の詳細を図７〜図９に従って説明する。
図７はリビング・ダイニングの例で、天井中央付近に設置された画像センサ１００によって、室内の人の在/不在を判断している。図７は部屋断面図、図８は画像センサ１００から俯瞰した画像模式図である。部屋全体を俯瞰するには広角レンズまたは魚眼レンズが好ましく、実際の画像は歪んで見えるがここでは簡単のため歪みを除いた模式図としている。この例において、部屋は、ダイニング部Rdとリビング部Rlに分割して認識されており、それぞれの部分の人の在/不在に応じて、照明器具Ｌ１、Ｌ２で照射される。
今リビングには人Ｍが在室しており照明器具Ｌ２が点灯しており、照明器具Ｌ１は消灯状態である。
このとき、人Ｍが図８矢印のように移動したとすると、それに伴って影ＭＳも移動する。カメラ１がこの影の動きを検知すると、ダイニング部Ｒｄに人が存在すると判断し、照明器具Ｌ１が誤って点灯することになる。
【００１３】
図９は複数の照明器具による什器の影のでき方を模式的に現している。室内に照明器具Ｌ１〜Ｌ４が存在した場合、照明器具Ｌ１〜Ｌ４が単独に点灯すると、それに対応して影Ｓ１〜Ｓ４が発生する。部屋がリビング・ダイニング・キッチンのように多目的であり照明を切り替えるべきゾーンが例えば図９のようにＡ１〜Ａ４の４つに分けられているとすると、影Ｓ１〜Ｓ４は、どのゾーンにも発生する可能性がある。
また、各照明器具の点滅は居住者の在室状況に応じるので、器具は単独で点灯するとは限らず、一灯で発生していた影も他の器具からの照射によって薄められたり消えたりすることもある。
このため、この影の変化を、人の移動を誤判断する可能性もある。
【００１４】
また図１０は照明器具の映りこみを説明する図である。床がフローリングやクッションフロアのような材料で表面光沢がある場合には、照明器具Ｌ３の反射像が映りこみｍ３の部分に発生する。
またテーブルやソファなどの光沢のある什器があっても同様に映りこみが発生する。
照明器具Ｌ３が一定の明るさで点灯しておれば問題ないが、リビング部ＲＬへの人の出入りに応じて消灯から点灯に変わる瞬間や、調光によって徐々に明るさが変化する場合には、一定間隔で画像を取り込んで前後の画像の差分で人の動きを判定する従来のシステムではダイニング部Ｒｄにも人が存在すると判断してしまい、誤動作の原因となる。
【発明の開示】
【発明が解決しようとする課題】
【００１５】
このように、特許文献１および２のいずれの照明システムにおいても、複数の照明区画を制御する場合に、画像データから人の存在を検知して制御しようとすると隣合う区画にまたがる什器の影の発生・消滅や、人の影の移動などによって誤検知が起こることがあった。
また、昼間に記憶モードを起動すると、記憶シーケンス中に外光などの変化があった場合に、後に誤動作の可能性があるデータが収集されることがある。また、常に夜間に点灯シーンを一通り実行するのでは、エネルギーが無駄である。
本発明は、前記実情に鑑みてなされたものであって、画像センサを用いて人を検知し、照明器具群の制御を行うに際し、外光の変化などに起因する誤動作、人以外の移動物体などの誤検知を低減し、信頼性の高い点灯制御を行うことの可能な照明制御システムを提供することを目的とする。
【課題を解決するための手段】
【００１６】
そこで本発明の照明システムは、光源と、画像を検出する画像センサと、前記画像センサの出力から、検知結果を算出する演算部と、前記演算部の演算結果から、前記光源の点滅・調光を決定する判断部と、前記判断部の判断結果に基づき、前記光源に対して、予め設定されたシーンに応じた点灯制御を行なう制御部とを有する照明システムであって、前記制御部は、無人状態において、予め設定されたシーンに応じた光源の点灯制御を実施し、ここで得られた各シーンの画像センサの検知結果を無人状態データとして記憶しておき、前記判断部は、現在の画像センサの検知結果から、現在のシーンに対応する無人状態データを、キャンセルして演算を行い、前記制御部は、切替えスイッチを具備し、前記切替えスイッチによって、一定時間ごとに記憶モードを実行する場合と、夜間に無人と判断しかつ前日の初期画像すなわち無人状態データと異なる画像が得られたときに前記記憶モードに移行する場合とを切り替え可能とした。
この構成によれば、各シーンにおける無人状態の画像データを予め取得し、人が不在でも各照明器具の点滅・調光によって発生する輝度変化を記憶しているため、予め取得されている当該シーンにおける無人状態の画像データをキャンセルすることにより、実際の人の動きによる輝度変化のみを捉えることができ、誤動作の発生を防ぐことができる。
また、昼間に記憶モードを起動すると、記憶シーケンス中に外光などの変化があった場合に、後に誤動作の可能性があるデータが収集される。また常に夜間に点灯シーンを一通り実行するのでは、エネルギーが無駄である。しかしながらこのように、必要に応じて一定時間ごとに記憶モードを実行する場合と、夜間に無人と判断しかつ前日の初期画像と異なる画像が得られたときに前記記憶モードに移行する場合とを切り替えるようにしているため、外光の影響のない無人状態データを取得することができる。また、無駄な電力消費も消費しなくて済む。
【００１７】
また、上記照明システムでは、前記判断部が、前記画像センサが受け持つ全ての領域において人が存在しないと判断し、かつ、前回の記憶モードから一定時間以上経過している場合に、前記制御部は予め設定されたシーンに応じて光源の点灯制御を一通り実施するとともに、ここで得られた各シーンの画像センサの検知結果を無人状態データとして記憶する記憶モードを実行するものであり、前記判断部は、前記記憶モード以外では、現在の画像センサの検知結果から、現在のシーンに対応する無人状態データを、キャンセルして演算を行う。
この構成によれば、一定時間ごとに、各シーンにおける無人状態の画像データを予め取得し、人が不在でも各照明器具の点滅・調光によって発生する輝度変化を記憶しているため、予め取得されている当該シーンにおける無人状態の画像データをキャンセルすることにより、実際の人の動きによる輝度変化のみを捉えることができ、誤動作の発生を防ぐことができる。
【００１９】
また、上記照明システムでは、前記制御部は、初期設定スイッチを具備し、前記初期設定スイッチを押下することによって前記記憶モードに移行する。
この構成により、什器や機器の移動、部屋の模様替えなどを行ったときにも、即座に無人状態データ記憶を行うことができ、その時々に応じた無人状態データ記憶を行なうことが可能となる。
【００２０】
また、上記照明システムでは、前記光源は複数の光源で構成され、各光源を独立して点灯制御可能である。
【発明の効果】
【００２１】
以上説明してきたように、本発明によれば、無人状態の画像データを予め取得し、人が不在でも各照明器具の点滅・調光によって発生する輝度変化を記憶しているため、それをキャンセルすることにより、実際の人の動きによる輝度変化のみを捉えることができ、誤動作の発生を防ぐことができる。
【発明を実施するための最良の形態】
【００２２】
以下本発明の実施の形態について図面を参照しつつ詳細に説明する。
（実施の形態１）
図１および２は、本発明の実施の形態１の照明システムを用いる室内の状況を示す立面説明図および鳥瞰説明図であり、図３はこの照明システムのブロック図である。図４はこの照明システムの制御フローチャートである。この照明システムは、図１および２に室内の状況を示すように、天井には光源として４個の白熱灯Ｌ１〜Ｌ４、またこの天井の中央部には画像センサ１００としてのＣＣＤカメラが取り付けられており、ダイニング部Ｒｄと、リビング部Ｒｌとの照明を自動制御するように構成されている。
【００２３】
そして、この照明システムは、図３にブロック図を示すように、光源としての４個の白熱灯Ｌ１〜Ｌ４の点灯を制御するもので、画像を検出する画像センサ１００と、前記画像センサ１００の出力から、検知結果を算出する演算部２００と、前記演算部２００の演算結果から、白熱灯Ｌ１〜Ｌ４の点滅・調光を決定する判断部３００と、前記判断部３００の結果を受けて白熱灯Ｌ１〜Ｌ４を予め設定されたシーンに応じて点灯制御する制御部４００とを有する照明システムであって、前記判断部３００が、前記画像センサ１００が受け持つ全ての領域において人が存在しないと判断し、かつ前回の記憶モードから一定時間以上経過している場合に、前記制御部は予め設定されたシーンに応じて光源の点灯制御を一通り実施するとともに、ここで得られた各シーンの画像センサの検知結果を無人状態データとして記憶する記憶モードを実行するものであり、前記判断部３００は、記憶モード以外では、現在の画像センサの検知結果から、現在のシーンに対応する無人状態データをキャンセルして演算を行うようにしたことを特徴とする。
【００２４】
画像センサ１００は魚眼レンズ・広角レンズなど部屋の少なくとも床面より広い画各を持つレンズを用いた画像センサである。判断部３００は、上記画像センサ１００からの画像を受け取り、各白熱灯Ｌ１〜Ｌ４を個々に、あるいはグループで点滅・調光制御する組み合わせを決定し、点灯制御回路４００に制御命令を送信する電子回路であり、タイマー部なども内蔵する。点灯制御部４００は判断部３００からの信号を受けて実際に各照明器具の点滅・調光を行う照明器具コントローラーである。
判断部３００は、一定時間間隔ごとに画像センサ１００から部屋の画像データを取り込み、最も直近の過去画像と現在画像の変化を演算する演算部２００、その変化が人の動きか否か判定する判定回路３０１、キャンセルすべき画像変化をあらかじめ記憶しておく記憶部３０２から構成される。
図１および２では特に図示されていないが、判断部３００と点灯制御部４００は一体化されて壁に埋め込まれた制御パネル様で、各Ｌ１〜Ｌ４に連結されており、個別器具の手動点滅ＳＷや調光フェーダー、シーン記憶スイッチ、後に述べる初期設定スイッチやセキュリティモード切り替えスイッチなどを装備する。
【００２５】
次にこの照明システムの動作について説明する。システムの基本動作は通例の動作と同じであり、画像センサ１００から一定間隔の画像を取り込み、直前画像と現在画像とを比較し、一定の大きさの輝度の塊の移動がある場合に、人が在室していると判断し、その位置によってあらかじめ設定された照明器具（白熱灯Ｌ１〜Ｌ４）の点滅・調光パターンを点灯制御部に命じて発生させる．
【００２６】
ここで、あらかじめ設定されたパターンとは、例えば
Ｐ１）ダイニング部のみに人が存在する場合には、食事シーンと判断し、ダイニングの照明Ｌ１、Ｌ３を全点灯、リビング部の照明Ｌ２、Ｌ４を減光させて調光
Ｐ２）リビング部およびダイニング部に人が存在する場合には、集合シーンと判断し、リビング・ダイニングの照明Ｌ２、Ｌ４、Ｌ１、Ｌ３を全点灯
Ｐ３）リビング部にのみ人が存在する場合には、くつろぎシーンと判断し、リビング部の照明Ｌ２、Ｌ４を全点灯、ダイニング部を減光点灯
などであり、あらかじめデフォルトのシーンが組み込まれているが、ユーザがある状態で手動調光を行えば、自動的にそのユーザの好みを記憶してデフォルトシーンを変更する。
【００２７】
一方、全システムが稼動状態で、判断部は室内に人が不在であると判断しタイマーのカウント時間が一定時間以上経過している場合に（例えば前回の不在検知から６時間以上）、設定されたすべてのシーンの切り替えを順番に点灯制御回路に命令する。
例えばシーンが４種類であった場合
Ｃ１）全消灯→シーンX    （Xは１〜４）
Ｃ２）シーンX→全点灯
Ｃ３）シーンX1→シーンX2  （X1、X2は１〜４）
である。
【００２８】
このとき、一定の輝度の塊が動くように判断される画像があればそれをキャンセル画像として記憶部３０２に記憶させる。
一方、人が在室していると判断される場合で、なんらかの輝度変化が検知されたとき、その動いた輝度の塊を、前記の記憶部３０２のキャンセル画像と比較して一致する場合には、それは人の動きではないと判断し、それに対応する点滅・調光シーケンスを起動させない。
【００２９】
次に、本実施の形態の照明システムの動作をフローチャートを参照しつつ詳細に説明する。
説明に先立ち、「ゾーン間の移動」とは、人間が異なる照明制御ゾーン間を移動したか否かで、例えばリビングからダイニングへの移動をさすものとする。
また「セキュリティモード」とは、夜間に一定時間X間隔で自動的に記憶モードを実行する動作モードであり、家人が不在などのときに、夜間に照明の点灯・消灯などが実行されるので、家人が在宅しているように偽装することができる。
【００３０】
逆に家人が在宅の場合にはセキュリティモードをＯＦＦにしておけば、昼間に模様替えや什器の移動がない限り夜間に記憶モード点灯することがなく、省エネに寄与することができる。
【００３１】
図４はこの照明制御動作を示すフローチャートである。
まず、デフォルトは制御遅延状態であり（ディレイステップＳ１００１）、次に初期設定スイッチが押下されたかどうか（ステップＳ１００２）を判断し、初期設定スイッチが押下されていないと判断されると、画像センサ１００によって撮像を行なうことにより室内の輝度情報を取得する（ステップＳ１００３）。
そして、演算部は、この取得情報と、この画像センサの、一定時間前の輝度情報とを比較し（ステップＳ１００４）、一定時間前の輝度情報から変化があるかどうかを調べる（ステップＳ１００５）。
【００３２】
この演算結果から、一定時間前の輝度情報から変化が生じたと判断された場合、変化したオブジェクトＭの移動量を調べ、判断回路３０１は移動量があらかじめ決定された値より大きいか否かを判断することでゾーン間の移動であるか否かを判断する（ステップＳ１００６）。
【００３３】
そしてこの判断ステップＳ１００６で移動量があらかじめ決定された値より大きいと判断され一定の輝度の塊が動くように判断される画像があればそれをキャンセル画像として記憶部３０２に記憶させる。
【００３４】
一方、人が在室していると判断される場合で、なんらかの輝度変化が検知されたとき、その動いた輝度の塊を、前記の記憶部３０２のキャンセル画像と比較する（ステップＳ１００７）。
【００３５】
この比較ステップＳ１００７での比較により、キャンセル画像と一致したか否かの判断がなされ（ステップＳ１００８）、一致すると判断された場合には、それは人の動きではないと判断し、ディレイステップＳ１００１に戻り、対応する点滅・調光シーケンスを起動させない。
【００３６】
一方判断ステップＳ１００８で不一致であると判断された場合、人が存在していると判断し、対応する点滅・調光シーケンスを起動する（ステップＳ１００９）。
【００３７】
また、判断ステップＳ１００５において直前画像との間に変化がないと判断されると、夜間であるか否かの判断を行なう（ステップＳ１０１０）。
そして夜間でない場合は、ディレイステップＳ１００１に戻り、対応する点滅・調光シーケンスを起動させない。
また判断ステップＳ１０１０で夜間であると判断された場合は、セキュリティモードか否かを判断し（ステップＳ１０１１）、セキュリティモードでないと判断された場合は前回の記憶モード起動時と画像に変化があるか否かが判断される（ステップＳ１０１２）。
【００３８】
この判断ステップＳ１０１２で変化がないと判断されるとディレイステップＳ１００１に戻り、対応する点滅・調光シーケンスを起動させない。
一方この判断ステップＳ１０１２で変化があると判断されるとあらかじめ決定されたＸ時間以内に記憶モードを実行したか否かの判断がなされ（ステップＳ１０１３）、記憶モードを実行していないと判断されると記憶モード用の調光が実行される（ステップＳ１０１４）。
【００３９】
そして、このときの画像センサ１００の出力に基づいて、演算部２００が演算を行なった結果、一定の輝度の塊が動くように判断される画像があればそれをキャンセル画像として記憶部３０２に記憶させる（ステップＳ１０１５）。
そしてこの記憶モード実行時刻を記憶部３０２に記憶させる（ステップＳ１０１６）とともに、ディレイステップＳ１００１に戻る。
【００４０】
なお前記実施の形態１では一定時間ごとに無人状態の画像データを取得する記憶モードを実施するようにしたが、大きな環境変化がないような場所では、あらかじめ、無人状態の画像データを取得し、記憶しておき、該当するシーンでこの記憶データを呼び出して使用するようにしてもよい。
【００４１】
例えば、リビング・ダイニングなどの室内において、リビング・ダイニング内を照明する照明器具の照明負荷が考えられるが、本発明はこの用途に限るものではない。この種の用途では、通常、室内への入室時に照明器具を点灯させた場合は、室内に人が存在する限りは照明器具の点灯継続が要求されるが、寝室などシーンによっては必ずしも点灯継続しなくてもよい場合もある。また、退室後比較的短時間で照明器具を消灯させることが要求される。
【００４２】
（実施の形態２）
次に本発明の実施の形態２について説明する。
前記実施の形態１の発明においては、タイマーにて一定間隔（例えば６時間）おきに人が不在時のキャンセルデータ画像を取得するために照明器具の点滅・調光を行うようにしており、長期不在時に人が在宅しているように偽装するセキュリティ効果を期待できる。しかしながら、模様替えなどがなく、無人時のキャンセル画像データに変化がない場合にも記憶モードの点灯シーケンスが起動され、不在時に照明を点灯する回数が増え、エネルギーの無駄も否めない。
【００４３】
そこで本発明では、家人が通常に在宅・就寝している場合には切り替えスイッチによって、タイマーで夜間であると判断でき、センサ入力によって無人でありかつ、前回の無人時の画像と変化がない場合にのみ、記憶モードに移行する。
この構成によれば、通常時には記憶モードの照明器具点滅シーケンスを起動する回数が減るため、省エネルギーとなる。
【００４４】
（実施の形態３）
次に本発明の実施の形態３について説明する。
前記実施の形態１、２の発明では、記憶モードは一定時間経過あるいは一定の条件が一致したときに起動する。しかしながら、家具・什器の移動など部屋の模様替えがあった場合には、記憶している無人画像と、現在の無人画像が異なるので誤動作の原因となる場合がある。そこで本発明では、初期設定スイッチ操作によって手動で記憶モードを起動できる構造としてもよい。これにより、模様替えがあってもその直後に正しい無人状態画像を取得して誤動作をなくすことができる。
【００４５】
なお、本発明は上記実施の形態の構成に限定するものではなく、室内に不審者の侵入がないか監視するシステムにおいての不審者検知装置としても利用可能である。例えば、通常制御から、セキュリティモードに切り替えておくことによって、夜間就寝後や、留守中に、不審者が窓から室内に侵入した場合に、照明器具が点灯したり、警報音が鳴ったり、居住者に通報するなどのアクションを発生することができる。
【図面の簡単な説明】
【００４６】
【図１】本発明の実施の形態１の照明システムを示す立面説明図
【図２】本発明の実施の形態１の照明システムを示す要部鳥瞰図
【図３】本発明の実施の形態１の照明システムを示すブロック図
【図４】本発明の実施の形態１の照明システムの制御動作を示すフローチャート図
【図５】従来例の照明システムを示す説明図
【図６】従来例の照明システムを示す説明図
【図７】従来例の照明システムを示す説明図
【図８】従来例の照明システムを示す説明図
【図９】従来例の照明システムを示す説明図
【図１０】従来例の照明システムを示す説明図
【符号の説明】
【００４７】
１００  画像センサ
２００  演算部
３００  判断部
３０１  判定回路
３０２  記憶部
４００  制御部
Ｌ  照明器具
【図１】
0005142383.tif 000002
【図２】
0005142383.tif 000003
【図３】
0005142383.tif 000004
【図４】
0005142383.tif 000005
【図５】
0005142383.tif 000006
【図６】
0005142383.tif 000007
【図７】
0005142383.tif 000008
【図８】
0005142383.tif 000009
【図９】
0005142383.tif 000010
【図１０】
0005142383.tif 000011